(57)【特許請求の範囲】
【請求項１】
車両のフロアパネル部材の上面側に沿って延設されて、流体を通過させる内部通路を有するダクト部と、該ダクト部の周縁に設けられて、前記フロアパネル部材の上面側に載置される嵩上げ部とを一体となるように成型するフロアスペーサ部材を有する車両用フロア構造であって、
前記ダクト部の下面側と、前記フロアパネル部材の上面側との間に、空隙を形成し、
前記ダクト部は、車両平面視の形状に蛇行部を有し、該蛇行部に凹凸の状態を変える点としての変曲点を少なくとも一箇所以上設けた
ことを特徴とする車両用フロア構造。
【請求項２】
前記空隙に、断熱材若しくは吸音材のうち、少なくとも何れか一方を設けたことを特徴とする請求項１記載の車両用フロア構造。 
【発明の詳細な説明】
【技術分野】
【０００１】
本発明は、自動車の車室内床部に設けられたダクト周囲に嵩上げ材を設けた車両用フロア構造に関するものである。
【背景技術】
【０００２】
従来、自動車の車室内床部に、空調用ダクトを設けたものが知られている（特許文献１等参照）。
【０００３】
このような車両用フロア構造では、空調用ダクトのうち、乗員室床部に設けられたダクト部の周囲には、嵩上げ材としてのフロアスペーサ部材が、このダクト部と一体となるように設けられている。
【０００４】
そして、この嵩上げ部及びダクト部の下面側は、前記乗員室の下部に位置する金属製のフロアパネル部材の上面側に接触するように載置されている。
【０００５】
このように構成された従来の車両用フロア構造では、樹脂材料を用いたブロ−成型によって、中空二重壁構造を呈するように、前記ダクト部が、前記フロアスペーサ部材と一体に形成されている。
【０００６】
そして、このダクト部を一体に形成した前記フロアスペーサ部材が、前記フロアパネル部材の上面側に載置されると、このフロアスペーサ部材と一体に形成されている前記ダクト部も、前記フロアパネル部材の上面側に接触している状態で配置される。
【先行技術文献】
【特許文献】
【０００７】
【特許文献１】特開２０１０−３０５５３号
【発明の概要】
【発明が解決しようとする課題】
【０００８】
しかしながら、このような従来の車両用フロア構造では、前記嵩上げ材としてのフロアスペーサ部材と一体に成型された前記ダクト部の下面側が、前記フロアパネル部材の上面側に接触しているため、車両下方からの熱及び騒音が、このフロアパネル部材を介して、前記ダクト部に伝達されて、熱によってこのダクト部内を通過する空調風の温度を上昇させたり、或いは、騒音がこのダクト部を通って、車室内に侵入するといった問題があった。
【０００９】
そこで、この発明は、フロアパネル部材の車両下方からの熱及び騒音が、ダクト部内に侵入することを抑制出来る車両用フロア構造を提供することにある。
【課題を解決するための手段】
【００１０】
上記目的を達成するために、本発明の車両用フロア構造では、車両のフロアパネル部材の上面側に沿って延設されて、流体を通過させる内部通路を有するダクト部と、該ダクト部の周縁に設けられて、前記フロアパネル部材の上面側に載置される嵩上げ部とを一体となるように成型するフロアスペーサ部材を有する車両用フロア構造である。
【００１１】
前記ダクト部の下面側と、前記フロアパネル部材の上面側との間に、空隙を形成した。
前記ダクト部は、車両平面視の形状に蛇行部を有し、該蛇行部に凹凸の状態を変える点としての変曲点を少なくとも一箇所以上設けた車両用フロア構造を特徴としている。
【発明の効果】
【００１２】
本発明によれば、車両のフロアパネル部材の下面側からの熱及び騒音が、前記緩和空間によって形成された空隙により、伝達量を減少させることが出来る。
【００１３】
この為、該ダクト部を介して、車室内に侵入しようとする熱及び騒音を抑制することが出来る。
【図面の簡単な説明】
【００１４】
【図１】本発明の実施の形態の車両用フロア構造で、図２中Ａ部に相当する部分のフロアスペーサ部材の要部の構成を説明する模式的な斜視図である。
【図２】実施の形態の車両用フロア構造が適用される自動車で、全体の構成を説明する車両の模式的な一部断面斜視図である。
【図３】実施の形態の車両用フロア構造に用いられるフロアスペーサ部材の模式的な平面図である。
【図４】実施の形態の車両用フロア構造に用いられるフロアスペーサ部材で、図３中Ｂ矢視方向の模式的な後側面図である。
【図５】実施の形態の車両用フロア構造に用いられるフロアスペーサ部材で、図３中Ｃ矢視方向の模式的な車幅方向側面図である。
【図６】実施の形態の実施例１の車両用フロア構造で、フロアスペーサ部材の要部の構成を説明する模式的な斜視図である。
【図７】実施の形態の実施例１の車両用フロア構造で、図６中Ｄ−Ｄ線に沿った位置での端面図である。
【図８】実施の形態の実施例２の車両用フロア構造で、フロアスペーサ部材の要部の構成を説明する模式的な斜視図である。
【発明を実施するための形態】
【００１５】
以下、本発明の実施の形態の車両用フロア構造を図面に基づいて説明する。
【００１６】
まず、図１乃至図８を用いて、全体の構成から説明すると、この実施の形態の車両用フロア構造では、図２に示す様な車両１の金属製のフロアパネル部材２の上面側２ａには、合成樹脂製のフロアスペーサ部材３が設けられている。
【００１７】
このフロアスペーサ部材３は、中空二重壁構造を呈するように樹脂材料を用いたブロ−成型によって構成されていて、図１に示す様に、前記フロアパネル部材２の上面側２ａに沿わせて、車両前後方向へ延設されるダクト部４と、このダクト部４の周縁に一体に設けられて、平面視略方形形状を呈することにより、前記フロアパネル部材２の上面側２ａに載置される嵩上げ部５とを有して、主に成型されている。
【００１８】
このうち、前記ダクト部４には、図示省略の空調装置に接続される入口側開口部４ａと、この入口側開口部４ａとは、略対角線上に位置して、乗員室内の後席に着座した乗員の足元等に、流体としての空調空気を送風する出口側開口部４ｂとが設けられている。
【００１９】
これらの入口側開口部４ａ及び出口側開口部４ｂ間は、一部蛇行しながら連結接続される蛇行部４ｄを介在させて、前記空調空気を導いて通過させる内部通路４ｃによって接続されている。
【００２０】
この実施の形態の蛇行部４ｄには、平面視で、ダクト部４の両側側壁部を構成する曲線部ｆの凹凸の状態を変える点である変曲点ｆ１，ｆ２が形成されている。
【００２１】
また、この実施の形態の車両用フロア構造では、前記ダクト部４の上面側４ｅと、前記嵩上げ部５の上面側５ａとの高さ位置が、同一車両上下方向位置に設定されることにより、図４に示す様に、前記フロアスペーサ部材３の上面側略全面が、略面一となるように構成されている。
【００２２】
更に、この嵩上げ部５の下面側５ｂは、前記フロアパネル部材２の上面側２ａに当接されて、この上面側２ａの上に設置されている前記フロアスペーサ部材３を下方から支持するように構成されている。
【００２３】
そして、前記ダクト部４の下面側４ｆと、前記フロアパネル部材２の上面側２ａとの間に、車両上下方向で所定の高さ方向寸法ｈ１を有する空気層からなる空隙７が形成されることにより、熱及び騒音の伝達量を減少させる緩和空間６が、設けられている。
【００２４】
次に、この実施の形態の車両用フロア構造の作用効果について説明する。
【００２５】
この実施の形態の車両用フロア構造では、車両１の乗員室下部に設けられたフロアパネル部材２の下面側からの熱及び騒音が、前記緩和空間６によって形成された空隙７により、直接、前記ダクト部４に、前記フロアパネル部材２の上面側２ａに接触していない。
【００２６】
この空隙７は、空気層によって構成されているので、熱及び騒音の伝達量を抑制させることが出来る。
【００２７】
このため、前記ダクト部４へのフロアパネル部材２からの熱及び騒音の伝達量を減少させて、ダクト部４を介して、車室内に侵入する熱及び騒音を抑制することが出来る。
【００２８】
また、この実施の形態の前記ダクト部４の蛇行部４ｄには、平面視で、両側側壁部を構成する曲線部ｆに、凹凸の状態を変える点としての変曲点ｆ１，ｆ２が形成されている。
【００２９】
このため、前記フロアスペーサ部材３のダクト部４の下方に、空隙７からなる緩和空間６を設けても、このダクト部４延設方向に沿って折曲しにくくなり、フロアスペーサ部材３として、所望の剛性を容易に確保することが出来る。
【実施例１】
【００３０】
図６及び図７には、この発明の実施の形態の実施例１の車両用フロア構造が示されている。
【００３１】
なお、前記実施の形態の車両用フロア構造と同一乃至均等な部分については、同一符号を付して説明する。
【００３２】
この実施例１の車両用フロア構造では、前記ダクト部４の下面側４ｆと、前記フロアパネル部材２の上面側２ａとの間に設けられて、熱及び騒音の伝達量を減少させる緩和空間１６に、フエルト部材等によって構成されて、断熱性能を有すると共に、吸音性能を有する断熱吸音材１７が設けられている。
【００３３】
この実施例１では、前記ダクト部４の下面側４ｆに、前記断熱吸音材１７の上面１７ａが、貼設されて、図７に示す様に、この断熱吸音材１７の下面１７ｂと、前記フロアパネル部材２の上面側２ａとの間に、車両上下方向に高さ方向寸法ｈ２を有する空隙１６ａが形成されている。
【００３４】
次に、この実施例１の車両用フロア構造の作用効果について説明する。
【００３５】
この実施例１の車両用フロア構造では、前記実施の形態の作用効果に加えて、更に、熱及び騒音の伝達量を減少させる緩和空間１６に、断熱性能を有すると共に、吸音性能を有する断熱吸音材１７が設けられている。
【００３６】
このため、更に、前記ダクト部４へのフロアパネル部材２からの熱及び騒音は、この断熱吸音材１７によって、吸収されて伝達量が減少され、前記ダクト部４を介して、車室内に侵入する熱及び騒音を減少させることが出来る。
【００３７】
しかも、この実施例１では、図７に示す様に、この断熱吸音材１７の下面１７ｂと、前記フロアパネル部材２の上面側２ａとの間に、車両上下方向に高さ方向寸法ｈ２を有する空隙１６ａが形成されていて、直接、断熱吸音材１７が、上面側２ａに接触していない。
【００３８】
このため、更に、この空隙１６ａの空気層で、前記ダクト部４へのフロアパネル部材２からの熱及び騒音の伝達量を減少させて、前記ダクト部４を介して、車室内に侵入する熱及び騒音を減少させることが出来る。
【００３９】
他の構成及び作用効果については、前記実施の形態と同一乃至均等であるので説明を省略する。  
【実施例２】
【００４０】
図８は、この発明の実施の形態の実施例２の車両用フロア構造が示されている。
【００４１】
なお、前記実施の形態及び実施例１の車両用フロア構造と同一乃至均等な部分については、同一符号を付して説明する。
【００４２】
この実施例２の車両用フロア構造では、前記フロアスペーサ部材２３のダクト部２４には、フロアパネル部材２の上面側２ａに沿って延設されて、空調空気を通過させる内部通路２４ｃが設けられていて、この内部通路２４ｃの一部には、複数の曲線部ｆが組み合わされた蛇行部２４ｄが、設けられている。
【００４３】
この蛇行部２４ｄには、平面視で、両側側壁部を構成する曲線部ｆに、凹凸の状態を変える点である複数の変曲点ｆ３〜ｆ６が形成されている。
【００４４】
次に、この実施例２の車両用フロア構造の作用効果について説明する。
【００４５】
この実施例２の車両用フロア構造では、前記実施の形態及び実施例１の作用効果に加えて、更に、前記フロアスペーサ部材２３のダクト部２４の蛇行部２４ｄには、平面視で、両側側壁部を構成する曲線部ｆに、凹凸の状態を変える点として、多数の変曲点ｆ３〜ｆ６が形成されている。
【００４６】
このため、前記フロアスペーサ部材２３のダクト部２４の下方に、空隙７からなる緩和空間６が設けられても、このダクト部２４延設方向に沿って、更に折曲しにくくなり、フロアスペーサ部材２３として、所望の剛性を、更に容易に確保することが出来る。
【００４７】
他の構成、及び作用効果については、前記実施の形態及び実施例１と同一乃至均等であるので、説明を省略する。
【００４８】
以上、図面を参照して、本発明の実施の形態を詳述してきたが、具体的な構成は、この実施の形態の車両用フロア構造に限らず、本発明の要旨を逸脱しない程度の設計的変更は、本発明に含まれる。
【００４９】
即ち、前記実施の形態の車両用フロア構造では、一本のダクト部４が、一体に設けられたフロアスペーサ部材３を用いて説明してきたが、特にこれに限らず、例えば、２本以上のダクト部４が一体に設けられたフロアスペーサ部材３等、ダクト部４の形状、数量及び材質が特に限定されるものではなく、これらのダクト部４又はダクト部２４内の内部通路４ｃ又は２４ｃを通過させる流体も、空調空気に限定されるものではなく、冷却用空気や液体等、どのような性質のものであっても良い。
【００５０】
また、前記実施の形態の実施例１では、前記ダクト部４の下面側４ｆと、前記フロアパネル部材２の上面側２ａとの間に設けられて、熱及び騒音の伝達量を減少させる緩和空間１６に、断熱性能を有すると共に、吸音性能を有する断熱吸音材１７が設けられているが、特にこれに限らず、例えば、断熱性能に優れた断熱材や、吸音性能に優れた吸音材のみや、或いはこれらを積層等して組み合わせた複合部材等、前記緩和空間１６内に、断熱材若しくは吸音材のうち、少なくとも何れか一方を設けたものであっても良く、更に、これらの断熱材若しくは吸音材の間に、前記空隙７…によって形成される空気層を設けるように構成しても、前記ダクト部４の下面側４ｆと、前記フロアパネル部材２の上面側２ａとの間に熱及び騒音の伝達量を減少させる緩和空間６が形成されるものであれば、断熱材若しくは吸音材の高さ方向寸法、形状、数量及び材質が特に限定されるものではない。
【産業上の利用可能性】
【００５１】
前記実施の形態では、車両用フロア構造が適用される構成の一例として、自動車車室内のシート下方の車両用フロア構造を示して説明してきたが、特にこれに限らず、例えば、ダクト部を有する車両１であれば、電気自動車、ハイブリッドカー等、どのような自動車の車両用フロア構造に用いてもよい。
【符号の説明】
【００５２】
１                車両
２                フロアパネル部材
２ａ              上面側
３，２３          フロアスペーサ部材
４，２４          ダクト部
４ｆ              下面側
５                嵩上げ部
６，１６          緩和空間
７                空隙（空気層）
１７              断熱吸音材
ｆ                曲線部
ｆ１〜ｆ６        変曲点
【図１】
0005621370.tif 000002
【図２】
0005621370.tif 000003
【図３】
0005621370.tif 000004
【図４】
0005621370.tif 000005
【図５】
0005621370.tif 000006
【図６】
0005621370.tif 000007
【図７】
0005621370.tif 000008
【図８】
0005621370.tif 000009